(57)【要約】【課題】ディスクを挟持して回転させるクランパを利用して回路基板に実装する電子部品の発熱を抑える。【解決手段】回路基板４を側壁部５Ｂ，５Ｂの上部間に架設し、この回路基板４にクランパ１０を取り付ける。クランパ１０に冷却フィン１５を一体形成し、クランパ１０の回転時に、冷却フィン１５を回転させて風の流れを発生させ、電子部品７から発散する熱を逃す。これにより、電子部品７の周囲に熱が篭らず冷却効果を高めることができる。【選択図】図２
2008033998.tif 000002
【特許請求の範囲】
【請求項１】
ディスク装置の内部に搬送されるディスクを載置して回転駆動するターンテーブルと、このターンテーブルと対向して前記ディスクを挟持するクランパと、前記ディスク装置を制御する回路基板と、これら構成部品を組付けるフレームとを備えたディスク装置であって、前記フレームの上面側に各種電子部品を実装する回路基板を配置するとともに、前記フレームの上面側に位置し、かつ、前記電子部品の近傍に前記クランパを配置し、このクランパに冷却フィンを一体形成し、前記クランパの回転による冷却フィンの回転によって前記電子部品を冷却する空気の流れを発生させるように構成したことを特徴とする冷却機構を備えたディスク装置。
【請求項２】
前記クランパを前記回路基板に装着したことを特徴とする請求項１記載の冷却機構を備えたディスク装置。
【請求項３】
前記フレームの上面側に支持板を架設し、この支持板に前記クランパを装着するとともに、前記支持板に隣接して前記回路基板を配置したことを特徴とする請求項１記載の冷却機構を備えたディスク装置。
【請求項４】
前記クランパは、前記ディスクを挟持する押え部と、この押え部に一体形成する固定用の複数の係止爪及び複数の冷却フィンとを有して合成樹脂によって一体成形したことを特徴とする請求項１〜３記載の何れか１項に記載の冷却機構を備えたディスク装置。
【発明の詳細な説明】
【技術分野】
【０００１】
本発明は、ディスクの記録面にレーザー光を照射してディスクの記録／再生を行うディスク装置、特に、ディスクを挟持するクランパの回転を利用して回路基板に実装する電子部品から発散する熱を効果的に抑制するようにした冷却機構を備えたディスク装置に関する。
【背景技術】
【０００２】
近年、ディスク装置は、ユーザーの種々のニーズに対応して、ＤＶＤプレーヤやＣＤプレーヤ等に限られず、テレビジョン受像機本体にも内蔵されるなど、その使用範囲は広範囲に及んでいる。これらのディスク装置は、年々小型、薄型化が進み、内部においては空間的な余裕がなく、種々の装置や部品が高密度で装着されている一方、内部に収納された駆動制御回路のＩＣの電子部品などからの発熱密度が増加している。このため、ディスクの書き込み、読み込み動作における温度上昇による誤動作を防止することが重要な課題になっている。
【０００３】
このような、従来技術のディスク装置の放熱構造として、例えば、特許文献１には、ディスク装置の筐体内に回路基板を配置し、この回路基板上に実装した電子部品の発熱を抑えるために、ディスク装置を挟持するクランパ上面に軸部に突設し、この軸部に回転羽根を一体形成し、クランパの回転により、回転羽根で風を発生させて筐体内において空気を循環させることによって電子部品の放熱作用を高めたディスク装置における放熱構造が開示されている。また、特許文献２，３では、ピックアップのレンズ面への埃や塵等の付着を防ぐ目的で、ディスクを載置するターンテーブルにフィンを形成し、ターンテーブル（ディスク）の回転時にターンテーブルのフィンによる気流を発生させるディスク装置が開示されている。
【０００４】
【特許文献１】特開２００２−２３０９６２号公報
【特許文献２】特開２００２−５６６６３号公報
【特許文献３】特開２００２−５６６６４号公報
【発明の開示】
【発明が解決しようとする課題】
【０００５】
このように、特許文献１〜３で示すディスク装置は、ディスクを挟持するクランパあるいはターンテーブルの回転を利用して回路基板上の電子部品の冷却あるいはピックアップの防塵性を高めることができるものの、特許文献１においては、回路基板とクランパとが離れているばかりでなく、回路基板が密閉された狭い筐体内に配置されているため、回転羽根で風を発生させたとしても、電子部品の熱が狭い筐体内に篭り易く、結果的に電子部品の放熱効果は低いと言わざるを得ない。また、特許文献２、３で示すディスク装置は、主にピックアップのレンズへの埃や塵等の付着を防ぐ防塵用であり、回路基板に実装した電子部品の冷却用として転用したとしても、特許文献２、３においては、フィンをターンテーブルに形成することから、ディスクを載置した際、ディスクで覆われてしまう。したがって、回路基板に実装した電子部品に向かってターンテーブルに形成するフィンによる風を効率的に送風することは困難であり、仮にフィンによる風を回路基板の電子部品に送風することができたとしても、構造が極めて複雑なものとなり、生産コストが上昇する、という課題を有している。
【０００６】
本発明は上述した問題点に鑑みてなされたものであり、回路基板に実装した電子部品に直接的に風を送ることによって、電子部品の冷却効果を高めることができる冷却機構を備えたディスク装置を提供することを目的とする。
【課題を解決するための手段】
【０００７】
請求項１の冷却機構を備えたディスク装置は、ディスク装置の内部に搬送されるディスクを載置して回転駆動するターンテーブルと、このターンテーブルと対向して前記ディスクを挟持するクランパと、前記ディスク装置を制御する回路基板と、これら構成部品を組付けるフレームとを備えたディスク装置であって、前記フレームの上面側に各種電子部品を実装する回路基板を配置するとともに、前記フレームの上面側に位置し、かつ、前記電子部品の近傍に前記クランパを配置し、このクランパに冷却フィンを一体形成し、前記クランパの回転による冷却フィンの回転によって前記電子部品を冷却する空気の流れを発生させるように構成したことを特徴とする。
【０００８】
請求項１の構成によれば、搬送機構によりディスクがフレームの内部に搬送され、ディスクの中心がターンテーブル上に配置した状態でディスクが停止する。ターンテーブルは、ディスクの移動動作と連動してディスクを載置した状態で上方へと移動し、クランパとターンテーブルとでディスクを挟持する。そして、ターンテーブルを回転させ、この回転した状態のディスクの記録面にピックアップユニットからレーザー光を照射し、ディスクの記録面より反射したレーザー光をピックアップユニットによって受光することで前記ディスクに予め記録されている情報を読み込んで再生、或いは前記ディスクへ情報を記録する。この時、クランパはディスクを介してターンテーブルと同体的に回転し、クランパの回転によって冷却フィンによる空気の流れが生じる。回路基板に実装する電子部品とクランパとは相互に近接して配置されているから、冷却フィンによって生じる空気の流れが回路基板に実装する電子部品へと直接的に作用し、回路基板に実装する電子部品の周囲に熱が篭ることなく、効率的に発散される。
【０００９】
請求項２の冷却機構を備えたディスク装置は、請求項１記載の冷却機構を備えたディスク装置において、前記クランパを前記回路基板に装着したことを特徴とする。
【００１０】
請求項２の構成によれば、回路基板にクランパを装着することにより、回路基板に実装する電子部品とクランパとを相互に近接させた状態で同一平面上に配置することができ、冷却フィンからの空気を回路基板上の電子部品に直接的に送風することが可能となる。
【００１１】
請求項３の冷却機構を備えたディスク装置は、請求項１記載の冷却機構を備えたディスク装置において、前記フレームの上面側に支持板を架設し、この支持板に前記クランパを装着するとともに、前記支持板に隣接して前記回路基板を配置したことを特徴とする。
【００１２】
請求項３の構成によれば、クランパと回路基板とをそれぞれ別にフレームに取り付けたとしても、回路基板に実装する電子部品とクランパとを相互に近接させた状態で配置することができる。
【００１３】
請求項４の冷却機構を備えたディスク装置は、請求項１〜３記載の何れか１項に記載の冷却機構を備えたディスク装置において、前記クランパは、前記ディスクを挟持する押え部と、この押え部に一体形成する固定用の複数の係止爪及び複数の冷却フィンとを有して合成樹脂によって一体成形したことを特徴とする。
【００１４】
請求項４の構成によれば、押え部に形成する複数の係止爪をフレームに取り付けた回路基板あるいは支持体に弾性的に係止させて取り付けることができるとともに、クランパに形成する冷却フィンにより、回路基板に実装する電子部品を効率的に冷却することができる。
【発明の効果】
【００１５】
本発明の請求項１の冷却機構を備えたディスク装置によれば、ディスク装置の内部に搬送されるディスクを載置して回転駆動するターンテーブルと、このターンテーブルと対向して前記ディスクを挟持するクランパと、前記ディスク装置を制御する回路基板と、これら構成部品を組付けるフレームとを備えたディスク装置であって、前記フレームの上面側に各種電子部品を実装する回路基板を配置するとともに、前記フレームの上面側に位置し、かつ、前記電子部品の近傍に前記クランパを配置し、このクランパに冷却フィンを一体形成し、前記クランパの回転による冷却フィンの回転によって前記電子部品を冷却する空気の流れを発生させるように構成したものであるから、回路基板に実装する電子部品の周囲が開放状態であるとともに、ディスクの回転時において、クランパを回転させて該クランパに形成する冷却フィンからの送風によって電子部品から発散する熱を効果的に発散させることができる。これにより、電子部品の周囲に熱が篭ることなく熱による電子部品の劣化を防止することができる。
【００１６】
請求項２の冷却機構を備えたディスク装置によれば、請求項１記載の冷却機構を備えたディスク装置において、前記クランパを前記回路基板に装着したものであるから、クランパと回路基板に実装する電子部品を可及的に近接させて配置することができ、電子部品から発散する熱を効果的に発散させることができる。
【００１７】
請求項３の冷却機構を備えたディスク装置によれば、前記フレームの上面側に支持板を架設し、この支持板に前記クランパを装着するとともに、前記支持板に隣接して前記回路基板を配置したものであるから、クランパと回路基板とをそれぞれ別にフレームに取り付けたとしても、回路基板に実装する電子部品へと効率的に送風することができる。
【００１８】
請求項４の冷却機構を備えたディスク装置によれば、前記クランパは、前記ディスクを挟持する押え部と、この押え部に一体形成する固定用の複数の係止爪及び複数の冷却フィンとを有して合成樹脂によって一体成形したものであるから、クランパの成形加工が容易であるとともに、複数の係止爪によってフレームに取り付けた回路基板あるいは支持板に簡単に取り付けることができ、かつ、クランパに形成する冷却フィンにより、回路基板に実装する電子部品を効率的に冷却することができる。
【発明を実施するための最良の形態】
【００１９】
以下、本発明の具体的実施例について、添付図面を参照しながら説明する。なお、以下の実施態様は、本発明を具体化する際の一形態であって、本発明をその範囲内に限定するためのものではない。
【実施例１】
【００２０】
図１〜図３は本発明の実施例１を示し、図１は回路基板をフレームから取り外した状態を示すディスク装置の斜視図、図２はディスクを挟持した状態を示す断面図、図３はクランパの平面図である。同図に示すように、本実施例のディスク装置１は、ディスクａを搬入／搬出するトレイ２と、ディスクを回転駆動するターンテーブル３と、ディスクａの半径方向へ進退可能に設けたピックアップレンズ（図示しない）と、ディスク装置１を駆動、制御するための回路が形成された回路基板４などを主要構成部品とし、これら主要構成部品を合成樹脂製のフレーム５に組付けている。
【００２１】
前記フレーム５は、水平方向に延びる支持枠５Ａと、この支持枠５Ａの左右両側に一体形成する側壁部５Ｂとで構成され、前記トレイ２は側壁部５Ｂの内面に形成する図示しない案内レールに沿ってフレーム５に対して前後方向に移動する。また、前記フレーム５の上面側に位置して各種の電子部品７が実装された前記回路基板４がフレーム５の側壁部５Ｂ間に架設されている。
【００２２】
前記ターンテーブル３は、前記フレーム５のほぼ中央部に配置されたスピンドルモータ８によって回転駆動され、このターンテーブル３の上方に位置して前記回路基板４にクランパ１０が固定されており、該クランパ１０とターンテーブル３とでディスクａを挟持して、ディスクａを回転するように構成されている。すなわち、回路基板４は、ターンテーブル３の上方を覆うようにフレーム５の側壁部５Ｂ間に架設され、ターンテーブル３と対向してクランパ１０を装着する開口部１１が形成されている。
【００２３】
前記クランパ１０は、合成樹脂から成り、前記ターンテーブル３と対向して前記ディスクａを挟む円盤状の押え部１２と、この押え部１２の外周寄りに位置して前記開口部１１に係止する３つの係止爪１３と、前記押え部１２の中心に突設した台形状の凸部１４と、この凸部１４から押え部１２の外周に向かって放射状に延びる複数の冷却フィン１５によって構成されている。また、前記凸部１４上にはバランスウェートとなるプレート１６が配置され、前記凸部の周縁部にはプレート１６を固定する複数のフック爪１７が一体形成されている。そして、図２に示すように、回路基板４の下方側から該回路基板４に形成する開口部１１にクランパ１０に形成する係止爪１３を嵌め入れた後、係止爪１３を弾性復帰させることによって、係止爪１３の先端の爪部１３Ａを回路基板４に係止する。これにより、クランパ１０が回路基板４に保持される。この時、回路基板４に係止する爪部１３Ａとクランパ１０の押え部１２との間隔は回路基板４の板厚より広く設定され、回路基板４に対してクランパ１０が上下動自在に保持され、フック爪１７によって保持したプレート１６によって回路基板４の開口部１１に係止爪１３が引っ掛かった状態で保持される。
【００２４】
前記押え部１２に形成する冷却フィン１５は、図３に示すように、押え部１２の外周から押え部１２の中心に突設する凸部１４に向かって湾曲しており、クランパ１０の回転による冷却フィン１５の回転によってクランパ１０から放射状に空気が流れる。また、前述したように、クランパ１０は回路基板４の下方から回路基板４の開口部１１に嵌め入れることから、図２に示すように、各冷却フィン１５と回路基板４とが干渉しないように、各冷却フィン１５の外周縁をＬ型に切り欠いている。
【００２５】
以上のように構成されるディスク装置１は、トレイ２によってディスクａをフレーム５の内部に搬送し、ディスクａの中心がターンテーブル３上に配置した状態でトレイ２が停止する。ターンテーブル３は、トレイ２の移動動作と連動して図示しないカムによってディスクａを載置した状態で上方へと移動し、クランパ１０とターンテーブル３とでディスクａを挟持する。そして、ターンテーブル３をスピンドルモータ８によって回転させ、この回転した状態のディスクａの記録面に図示しないピックアップユニットからレーザー光を照射し、ディスクａの記録面より反射したレーザー光をピックアップユニットによって受光することで前記ディスクａに予め記録されている情報を読み込んで再生、或いは前記ディスクａへ情報を記録する。この時、クランパ１０はディスクａを介してターンテーブル３と同体的に回転し、クランパ１０の回転により冷却フィン１５が回転し、冷却フィン１５による空気の流れが生じる。しかも、クランパ１０を回路基板４に装着することによって、クランパ１０と回路基板４に実装する電子部品７とを可及的に近接させて配置することができ、回路基板４に実装する電子部品７の周囲に冷却フィン１５による空気の流れを生じさせることによって、回路基板４に実装する電子部品７から発散する熱が電子部品７の周囲に篭ることなく、外部へと効率的に抜け、熱による電子部品７の劣化を防止することができる。
【００２６】
以上のように、本発明においては、回路基板４をフレーム５の側壁部５Ｂの上端部に架設するとともに、回路基板４の上面側に電子部品７を実装することから、電子部品７が密閉されることなく外部に開放し、かつ、その回路基板４に直接、クランパ１０を装着することによって、クランパ１０と回路基板４に実装する電子部品７とを可及的に近接させることができる。したがって、ディスクａの回転時において、ディスクａと同体的にクランパ１０を回転させ、そのクランパ１０に形成する冷却フィン１５を回転させることによって、冷却フィン１５から電子部品７へと直接的に送風することができ、電子部品７から発散する熱を効果的に発散させることができる。これにより、電子部品７の周囲に熱が篭ることなく、電子部品７の冷却効果を高めることができ、熱による電子部品７の劣化を防止することができる。
【実施例２】
【００２７】
図４は、本発明の実施例２を示すディスク装置の斜視図である。なお、本実施例においては、前記実施例１と同一機能を有する部分には、同一符号を付し、重複する部分の説明を省略し、異なる部分についてのみ説明する。
【００２８】
前記実施例１においては、クランパ１０を回路基板４に装着した例を示したが、本実施例においては、フレーム５の側壁部５Ｂ間に支持板２０を掛け渡すように一体形成し、この支持板２０にクランパ１０を装着している。そして、その支持板２０に隣接させてフレーム５の側壁部５Ｂ間に回路基板４を架設することによって、前記実施例１と同様、ディスクａの回転時において、クランパ１０の回転により冷却フィン１５を回転させ、冷却フィン１５から電子部品７へと直接的に送風することによって、電子部品７の周囲に熱が篭ることなく、効果的に発散させることができる。
【００２９】
以上、本発明の一実施例を詳述したが、本発明は前記実施例に限定されるものでなく、本発明の要旨の範囲内で種々の変形実施が可能である。例えば、クランパ１０の取付構造や冷却フィン１５の形状あるいは個数などは、適宜選定すればよい。
【図面の簡単な説明】
【００３０】
【図１】本発明の実施例１を示す回路基板をフレームから取り外した状態を示すディスク装置の斜視図である。
【図２】同上、ディスクを挟持した状態を示す断面図である。
【図３】同上、クランパの平面図である。
【図４】本発明の実施例２を示すディスク装置の斜視図である。
【符号の説明】
【００３１】
１    ディスク装置
３    ターンテーブル
４    回路基板
５    フレーム
５Ｂ  側壁部
７  電子部品
１０  クランパ
１３  係止爪
１５  冷却フィン
２０  支持板
ａ    ディスク
【図１】
2008033998.tif 000003
【図２】
2008033998.tif 000004
【図３】
2008033998.tif 000005
【図４】
2008033998.tif 000006